(57)【要約】【課題】  不快感を覚える飲酒者と非飲酒者との乗り合わせを自動的に解消するエレベーター運転システムを得る。【解決手段】  エレベーター利用者の呼気中の基準値を越えるアルコール濃度をエレベーター乗場９に設けられた呼気中アルコール濃度検出器２で検出し、この基準値を越えるアルコール濃度が検出されたとき、制御盤１は、エレベーターの飲酒者専用運転を行い、エレベーターのカゴ８内に設けられた人感センサー４によりカゴ内に飲酒者がいるかどうかを検出し、アナウンス装置３により、飲酒者専用運転中に、エレベーターのカゴ８内の飲酒者を誘導することにより、飲酒者と非飲酒者を分離して輸送し、飲酒者と非飲酒者との乗り合わせによる不快感を解消するようにした。【選択図】図１
2006213454.tif 000002
【特許請求の範囲】
【請求項１】
エレベーターの乗場に設けられ、利用者の呼気中の基準値を越えるアルコール濃度を検出する呼気中アルコール濃度検出器、エレベーターの運転制御を行うと共に上記アルコール濃度検出器により基準値を越えるアルコール濃度が検出されたとき、上記エレベーターの飲酒者専用運転を行う制御盤、及び上記エレベーターの乗場に設けられ、上記飲酒者専用運転中であることを知らせる飲酒者専用運転表示手段を備えたことを特徴とするエレベーター運転システム。
【請求項２】
上記制御盤による上記飲酒者専用運転中に、上記エレベーターのカゴ内に上記飲酒者がいるかどうかを検出する人感センサー、及びこの人感センサーによる飲酒者の検出状況に基づき、上記飲酒者を誘導するアナウンスを行うアナウンス装置を備えたことを特徴とする請求項１記載のエレベーター運転システム。
【請求項３】
上記制御盤は、上記飲酒者専用運転を開始したとき、既存の乗場呼びを抹消すると共に既存のカゴ呼びにすべて対応した後、上記飲酒者検出階にエレベータのカゴを配車することを特徴とする請求項１または請求項２記載のエレベーター運転システム。
【発明の詳細な説明】
【技術分野】
【０００１】
この発明は、不快感を抱くような乗り合わせを解消するエレベーター運転システムに関するものである。
【背景技術】
【０００２】
従来では、エレベーターの乗場側に、キースイッチ・カードリーダー・指紋照合装置等を設けることで、エレベーターを利用するマンションの居住者と外部者との判別を行い、居住者と外部者の乗り合わせを防ぐようにしたエレベーター運転システムがある。
特許文献１には、障害者などを示す特定データを記録したＩＤを、乗場に設けた識別装置及びエレベータのカゴ内に設けられた識別装置により識別し、エレベータのカゴを特定者専用運転するようにしたものが示されている。
特許文献２には、ペットを伴う利用客が乗場呼びボタンを所定時間以上押し続けたとき、専用呼び登録と理解し、カゴ内に利用客が居なくなってから、その呼ばれた階に行き、利用客がペットと共に乗り込んだ後は、カゴ内の行先階登録ボタンを利用客が押すことにより、その行先階に直行するものが、示されている。
【０００３】
【特許文献１】特開２００３−４０５３５号公報（第２頁、図１）
【特許文献２】特開２００３−２５４８号公報（第２〜３頁、図２）
【発明の開示】
【発明が解決しようとする課題】
【０００４】
ところで、居住者が、エレベーターにおける他人との乗り合わせで不快感を得るのは、外部者と乗り合わせた時だけではなく、近隣住民同士の乗り合わせによっても不快感を得ることがある。特に深夜に帰宅した際に発生し得る飲酒者と非飲酒者との乗り合わせは、お互いに不快感を与えることとなる。
しかしながら、従来の居住者と外部者とを判別するエレベーター運転システムでは、近隣住民同士の乗り合わせを防ぐことは期待できないという問題があった。
また、特許文献１に示されるものでは、特定データを記録したＩＤの携行が必要になり、特許文献２に示されるものでは、利用客が自ら乗場呼びボタンを所定時間以上押し続けるという格別の操作を行う必要があり、いずれも利用者自身で専用運転を行うことを決める必要があった。
【０００５】
この発明は、上述のような課題を解決するためになされたものであり、不快感を覚える飲酒者と非飲酒者との乗り合わせを自動的に解消するエレベーター運転システムを得ることを目的とする。
【課題を解決するための手段】
【０００６】
この発明に係わるエレベーター運転システムにおいては、エレベーターの乗場に設けられ、利用者の呼気中の基準値を越えるアルコール濃度を検出する呼気中アルコール濃度検出器、エレベーターの運転制御を行うと共にアルコール濃度検出器により基準値を越えるアルコール濃度が検出されたとき、エレベーターの飲酒者専用運転を行う制御盤、及びエレベーターの乗場に設けられ、飲酒者専用運転中であることを知らせる飲酒者専用運転表示手段を備えたものである。
【発明の効果】
【０００７】
この発明は、以上説明したように、エレベーターの乗場に設けられ、利用者の呼気中の基準値を越えるアルコール濃度を検出する呼気中アルコール濃度検出器、エレベーターの運転制御を行うと共にアルコール濃度検出器により基準値を越えるアルコール濃度が検出されたとき、エレベーターの飲酒者専用運転を行う制御盤、及びエレベーターの乗場に設けられ、飲酒者専用運転中であることを知らせる飲酒者専用運転表示手段を備えたので、飲酒者と非飲酒者を分離して輸送することができ、飲酒者と非飲酒者との乗り合わせによる不快感を解消することができる。
【発明を実施するための最良の形態】
【０００８】
実施の形態１．
図１は、この発明の実施の形態１によるエレベーター運転システムを示す構成図である。
図１のエレベーター運転システムでは、飲酒者を検出したとき、飲酒者専用運転が行われるように構成されている。
図１において、制御盤１は、エレベーターを制御し、エレベーターが複数台の場合は、群管理盤として複数台のエレベーターを制御する。
エレベーターの乗場９には、呼気中アルコール濃度検出器２及び飲酒者専用運転灯７が設置される。呼気中アルコール濃度検出器２は、利用者の呼気を調べて、基準値を越えるアルコール濃度が検出された場合に、制御盤１へ乗場呼登録信号を伝送する。制御盤１は、この乗場呼登録信号に応じて、飲酒者専用運転を行う。飲酒者専用運転灯７（飲酒者専用運転表示手段）は、他の利用者に飲酒者専用運転中であることを知らせるために設けられている。
【０００９】
エレベーターのカゴ８には、アナウンス装置３と、人感センサー４と、インターホン５が設けられる。アナウンス装置３は、飲酒者専用運転中に飲酒者を誘導する特殊メッセージを流す。人感センサー４は、飲酒者専用運転中にエレベーターのカゴ８内に飲酒者が乗車しているかどうかを検出する。
管理人室１０には、インターホン６が設置され、必要に応じてエレベーターのカゴ８内のインターホン５と通話できるようになっている。
図２は、この発明の実施の形態１によるエレベーター運転システムの飲酒者専用運転が行われる場合の処理を示すフローチャートである。
【００１０】
次に、動作について、図２に基づき説明する。
まず、飲酒者が乗場まで到着した後、呼気中アルコール濃度検出器２に向かって息を吹きかけ、呼気中アルコール濃度を検出する。この呼気中アルコール濃度検出器２による検出結果により、基準値を越えるアルコール濃度を検出した場合、飲酒者と判定し、制御盤１に乗場呼登録信号を伝送する（ステップＳ１）。これを受けて、制御盤１は、飲酒者専用運転に移行する（ステップＳ２）。呼気中アルコール濃度が基準値以下の場合は、制御盤１は、通常運転を継続する（ステップＳ１０）。
飲酒者専用運転に切り替わった場合、乗場に設置された飲酒者専用運転灯７が点灯し、他の利用者に飲酒専用運転中であることを知らせる。また、飲酒者と非飲酒者との乗り合わせを無くすため、制御盤１は、既存の乗場呼び（乗場ボタンから呼ばれたもの）は抹消する（ステップＳ３）。エレベーターは、制御盤１の制御により、既存のカゴ呼び（エレベーターのカゴ内のボタンから呼ばれたもの）に、順に対応した後、飲酒者検出階へと配車される（ステップＳ４）。
飲酒者検出階へ到着したのち、アナウンス装置３により、カゴ戸開時に「エレベーター内にお入り下さい」というアナウンスを流し、エレベーターのカゴ８内へ飲酒者を誘導する。カゴ内へ飲酒者が乗車したかどうかは人感センサー４により判別し、飲酒者を感知した場合には、アナウンス装置３により「行先ボタンを押して下さい」というアナウンスをカゴ内行先ボタンが押されるまで流す（ステップＳ５）。
【００１１】
その後、制御盤１は、最終カゴ呼び（飲酒者の操作によりエレベーターのカゴ内のボタンから呼ばれたもの）に応答し（ステップＳ６）、戸閉完了後、人感センサー４により、飲酒者がカゴ８から降車したことを確認できれば（ステップＳ７）、通常運転に復帰する（ステップＳ１０）。
一方、最終カゴ呼びに応答し、戸閉した後にも人感センサー４により、エレベーターのカゴ８内に飲酒者を感知した場合には（ステップＳ７）、管理人室１０とのインターホン通話を可能とし（ステップＳ８）、管理人室１０側からエレベーターのカゴ８内の飲酒者に対し、状況を確認し、降車するよう誘導する（ステップＳ９）。人感センサー４により、エレベーターのカゴ８内から飲酒者の降車を確認（ステップＳ７）次第、制御盤１は、エレベーターの通常運転に復帰する（ステップＳ１０）。
【００１２】
実施の形態１によれば、近隣住民内の飲酒者と非飲酒者を分割して輸送できるエレベーターの運転システムが実現できる。この実現により、近隣住民間で互いに与える不快感を解消することができる。
また、飲酒者専用運転下において、エレベーターのカゴ内乗客の有無を人感センサーによって検出することで、エレベーターのカゴ内に飲酒者が残っている場合の対応が迅速となり、飲酒者への安全性を高めることが期待できる。
【図面の簡単な説明】
【００１３】
【図１】この発明の実施の形態１によるエレベーター運転システムを示す構成図である。
【図２】この発明の実施の形態１によるエレベーター運転システムの飲酒者専用運転が行われる場合の処理を示すフローチャートである。
【符号の説明】
【００１４】
１  制御盤（群管理盤）
２  呼気中アルコール濃度検出器
３  アナウンス装置
４  人感センサー
５  インターホン
６  インターホン
７  飲酒者専用運転灯
８  エレベーターのカゴ
９  乗場
１０  管理人室
【図１】
2006213454.tif 000003
【図２】
2006213454.tif 000004